【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
頭部搭載型ディスプレイシステムであって、前記頭部搭載型ディスプレイシステムは、光をユーザの眼に投影し、拡張現実画像コンテンツを前記ユーザの視野内に表示するように構成され、前記頭部搭載型ディスプレイシステムは、
前記ユーザの頭部上に支持されるように構成されるフレームと、
光を出力するように構成される少なくとも１つの光源と、
前記少なくとも１つの光源からの光を受け取るように配置される空間光変調器と、
前記フレーム上に配置される接眼レンズであって、前記接眼レンズは、前記空間光変調器からの光を前記ユーザの眼の中に指向し、拡張現実画像コンテンツを前記ユーザの視野に表示するように構成され、前記接眼レンズの少なくとも一部は、透明であり、前記ユーザが前記頭部搭載型ディスプレイシステムを装着すると、前記ユーザの眼の正面の場所に配置され、前記透明部分は、前記ユーザの正面の物理的環境の一部からの光を前記ユーザの眼に透過させ、前記ユーザの正面の物理的環境の一部のビューを提供し、前記接眼レンズは、
（ａ）少なくとも１つの導波管と、
（ｂ）前記空間光変調器からの光を前記少なくとも１つの導波管の中に内部結合するように構成される少なくとも１つの内部結合光学要素と、
（ｃ）前記導波管内で誘導される光を前記導波管から外に結合し、前記光を前記ユーザの眼に指向するように構成される少なくとも１つの外部結合光学要素と
を備える、接眼レンズと、
屈折力を有する光学系であって、前記光学系は、前記光源から出力された光を受け取るように配置され、前記光学系は、前記光源から受け取られた光が、前記光学系を通して通過し、前記空間光変調器を照明するように、前記空間光変調器に対して配列される、光学系と
を備え、
前記頭部搭載型ディスプレイシステムは、前記空間光変調器を照明する光が、前記光学系を通して戻るように再指向され、前記少なくとも１つの内部結合光学要素を通して、前記少なくとも１つの導波管の中に結合され、前記結合された光の少なくとも一部が、前記少なくとも１つの外部結合光学要素によって、前記少なくとも１つの導波管から射出され、前記ユーザの眼に指向されるように構成される、頭部搭載型ディスプレイシステム。
【請求項２】
前記少なくとも１つの光源は、異なる色の光を異なる時間に放出するように構成されるマルチカラー光源を備える、請求項１に記載の頭部搭載型ディスプレイシステム。
【請求項３】
前記少なくとも１つの光源は、赤色、緑色、および青色光を異なる時間に放出するように構成される赤色、緑色、青色（ＲＧＢ）光源を備える、前記請求項のいずれかに記載の頭部搭載型ディスプレイシステム。
【請求項４】
光を出力するように構成される複数の側方に変位された光エミッタと、
前記複数の光エミッタからの光を集光するように構成される集光光学系と、
拡散器と、
前記拡散器の近位の複数の開口と
を備える、前記請求項のいずれかに記載の頭部搭載型ディスプレイシステム。
【請求項５】
前記少なくとも１つの導波管は、導波管のスタックを備える、前記請求項のいずれかに記載の頭部搭載型ディスプレイシステム。
【請求項６】
前記導波管のスタックの異なる導波管は、異なる個別の色を伴う光を出力するように構成される、請求項５に記載の頭部搭載型ディスプレイシステム。
【請求項７】
前記少なくとも１つの内部結合光学要素は、相互に対して側方に変位された複数の内部結合光学要素を備える、前記請求項のいずれかに記載の頭部搭載型ディスプレイシステム。
【請求項８】
前記複数の内部結合光学要素は、複数の色の光を前記少なくとも１つの導波管の第１の導波管の中に結合し、前記光をその中で誘導するように構成される第１の内部結合光学要素と、複数の色の光を前記少なくとも１つの導波管の第２の導波管の中に結合し、前記光をその中で誘導するように構成される第２の内部結合光学要素とを備え、前記第１の内部結合光学要素および前記第２の内部結合光学要素は、相互に対して側方に変位される、請求項７に記載の頭部搭載型ディスプレイシステム。
【請求項９】
前記少なくとも１つの光源は、前記光学系および前記空間光変調器に対して配置され、光を前記第１の内部結合光学要素に指向する第１の光源と、前記光学系および前記空間光変調器に対して配置され、光を前記第２の内部結合光学要素に指向する第２の光源とを備える、請求項７または８に記載の頭部搭載型ディスプレイシステム。
【請求項１０】
前記導波管の前記ユーザに近接する側上に配置されるカラーフィルタアレイをさらに備え、前記カラーフィルタアレイは、複数の異なるカラーフィルタを備える、前記請求項のいずれかに記載の頭部搭載型ディスプレイシステム。
【請求項１１】
前記カラーフィルタアレイは、迷光の伝搬および反射を低減させるように構成される前記カラーフィルタ間に配置される吸光材料を含む、請求項１０に記載の頭部搭載型ディスプレイシステム。
【請求項１２】
前記光源は、前記光源からの光が、前記少なくとも１つの導波管を通して通過せずに、前記光学系の中に指向されるように、前記少なくとも１つの導波管に対して側方に配置される、前記請求項のいずれかに記載の頭部搭載型ディスプレイシステム。
【請求項１３】
前記光源は、前記光源からの光が、前記少なくとも１つの導波管を通して通過せずに、前記光学系の中に指向されるように、前記少なくとも１つの導波管に対して側方に延在する透明層上に配置される、前記請求項のいずれかに記載の頭部搭載型ディスプレイシステム。
【請求項１４】
前記光源は、前記少なくとも１つの導波管の前記ユーザの眼により近い側より前記少なくとも１つの導波管の前記ユーザの正面の環境により近い側に近い透明層上に配置され、前記透明層は、前記光源からの光が、前記少なくとも１つの導波管を通して通過せずに、前記光学系の中に指向されるように、前記少なくとも１つの導波管に対して側方に延在する、前記請求項のいずれかに記載の頭部搭載型ディスプレイシステム。
【請求項１５】
前記光源は、前記少なくとも１つの導波管の前記ユーザの正面の環境により近い側より前記少なくとも１つの導波管の前記ユーザの眼により近い側に近い透明層上に配置され、前記透明層は、前記光源からの光が、前記少なくとも１つの導波管を通して通過せずに、前記光学系の中に指向されるように、前記少なくとも１つの導波管に対して側方に延在する、前記請求項のいずれかに記載の頭部搭載型ディスプレイシステム。
【請求項１６】
透明層は、カバーガラスを備える、前記請求項のいずれかに記載の頭部搭載型ディスプレイシステム。
【請求項１７】
相互に対して側方に変位される複数のカラーフィルタをさらに備え、前記カラーフィルタは、個別のカラーフィルタを通して通過する光が個別の内部結合光学要素上に入射するように、相互に対して側方に変位される複数の内部結合光学要素に対して側方に整合される、前記請求項のいずれかに記載の頭部搭載型ディスプレイシステム。
【請求項１８】
前記複数のカラーフィルタは、カラーフィルタアレイを備える、前記請求項のいずれかに記載の頭部搭載型ディスプレイシステム。
【請求項１９】
前記少なくとも１つの内部結合光学要素は、第１および第２の内部結合光学要素を備え、前記頭部搭載型ディスプレイシステムはさらに、第１および第２のカラーフィルタを備え、前記第１および第２のカラーフィルタは、それぞれ、前記第１および第２の内部結合光学要素と関連付けられる、前記請求項のいずれかに記載の頭部搭載型ディスプレイシステム。
【手続補正２】
【補正対象書類名】明細書
【補正対象項目名】００１０
【補正方法】変更
【補正の内容】
【００１０】
空間光変調器照明および画像投影の両方のための共通光学を有する、頭部搭載型ディスプレイシステムの種々の実施例が、本明細書に説明される。
本願明細書は、例えば、以下の項目も提供する。
（項目１）
頭部搭載型ディスプレイシステムであって、前記頭部搭載型ディスプレイシステムは、光をユーザの眼に投影し、拡張現実画像コンテンツを前記ユーザの視野内に表示するように構成され、前記頭部搭載型ディスプレイシステムは、
前記ユーザの頭部上に支持されるように構成されるフレームと、
光を出力するように構成される少なくとも１つの光源と、
前記少なくとも１つの光源からの光を受け取るように配置される空間光変調器と、
前記フレーム上に配置される接眼レンズであって、前記接眼レンズは、前記空間光変調器からの光を前記ユーザの眼の中に指向し、拡張現実画像コンテンツを前記ユーザの視野に表示するように構成され、前記接眼レンズの少なくとも一部は、透明であり、前記ユーザが前記頭部搭載型ディスプレイシステムを装着すると、前記ユーザの眼の正面の場所に配置され、前記透明部分は、前記ユーザの正面の物理的環境の一部からの光を前記ユーザの眼に透過させ、前記ユーザの正面の物理的環境の一部のビューを提供し、前記接眼レンズは、
（ａ）少なくとも１つの導波管と、
（ｂ）前記空間光変調器からの光を前記少なくとも１つの導波管の中に内部結合するように構成される少なくとも１つの内部結合光学要素と、
（ｃ）前記導波管内で誘導される光を前記導波管から外に結合し、前記光を前記ユーザの眼に指向するように構成される少なくとも１つの外部結合光学要素と
を備える、接眼レンズと、
屈折力を有する光学系であって、前記光学系は、前記光源から出力された光を受け取るように配置され、前記光学系は、前記光源から受け取られた光が、前記光学系を通して通過し、前記空間光変調器を照明するように、前記空間光変調器に対して配列される、光学系と
を備え、
前記頭部搭載型ディスプレイシステムは、前記空間光変調器を照明する光が、前記光学系を通して戻るように再指向され、前記少なくとも１つの内部結合光学要素を通して、前記少なくとも１つの導波管の中に結合され、前記結合された光の少なくとも一部が、前記少なくとも１つの外部結合光学要素によって、前記少なくとも１つの導波管から射出され、前記ユーザの眼に指向されるように構成される、頭部搭載型ディスプレイシステム。
（項目２）
前記少なくとも１つの光源は、異なる色の光を異なる時間に放出するように構成されるマルチカラー光源を備える、項目１に記載の頭部搭載型ディスプレイシステム。
（項目３）
前記少なくとも１つの光源は、赤色、緑色、および青色光を異なる時間に放出するように構成される赤色、緑色、青色（ＲＧＢ）光源を備える、前記項目のいずれかに記載の頭部搭載型ディスプレイシステム。
（項目４）
前記少なくとも１つの光源は、シアン色、マゼンタ色、および黄色光を異なる時間に放出するように構成されるシアン色、マゼンタ色、黄色（ＣＭＹ）光源を備える、前記項目のいずれかに記載の頭部搭載型ディスプレイシステム。
（項目５）
光を出力するように構成される複数の側方に変位された光エミッタと、
前記複数の光エミッタからの光を集光するように構成される集光光学系と、
拡散器と、
前記拡散器の近位の複数の開口と
を備える、前記項目のいずれかに記載の頭部搭載型ディスプレイシステム。
（項目６）
前記光エミッタに対して配置され、前記光源から出力された光を集光する結合光学系をさらに備える、前記項目のいずれかに記載の頭部搭載型ディスプレイシステム。
（項目７）
前記結合光学系は、複合放物面集光器（ＣＰＣ）を備える、項目６に記載の頭部搭載型ディスプレイシステム。
（項目８）
前記空間光変調器は、反射型空間光変調器を備える、前記項目のいずれかに記載の頭部搭載型ディスプレイシステム。
（項目９）
前記空間光変調器は、液晶空間光変調器を備える、前記項目のいずれかに記載の頭部搭載型ディスプレイシステム。
（項目１０）
前記空間光変調器は、垂直に整合された液晶空間光変調器を備える、前記項目のいずれかに記載の頭部搭載型ディスプレイシステム。
（項目１１）
前記空間光変調器は、偏向ベースの空間光変調器を備える、前記項目のいずれかに記載の頭部搭載型ディスプレイシステム。
（項目１２）
前記空間光変調器は、可動ミラーのアレイを備える、前記項目のいずれかに記載の頭部搭載型ディスプレイシステム。
（項目１３）
光ダンプであって、オフ状態では、光が、前記可動ミラーのアレイによって、光ダンプに指向され、オン状態では、光が、対応する内部結合光学要素に指向されるような、光ダンプ
をさらに備える、前記項目のいずれかに記載の頭部搭載型ディスプレイシステム。
（項目１４）
前記少なくとも１つの導波管は、全内部反射によって光を前記導波管内で誘導するために十分な屈折率を有する可視光に対して透過性である材料を含む、前記項目のいずれかに記載の頭部搭載型ディスプレイシステム。
（項目１５）
前記少なくとも１つの導波管は、導波管のスタックを備える、前記項目のいずれかに記載の頭部搭載型ディスプレイシステム。
（項目１６）
前記導波管のスタックの異なる導波管は、異なる個別の色を伴う光を出力するように構成される、項目１５に記載の頭部搭載型ディスプレイシステム。
（項目１７）
前記導波管のスタックの第１、第２、および第３の導波管は、それぞれ、第１、第２、および第３の色の光を出力するように構成され、前記第１、第２、および第３の色の光は、それぞれ、赤色、青色、および緑色光である、項目１５または１６に記載の頭部搭載型ディスプレイシステム。
（項目１８）
前記導波管のスタックの異なる導波管は、前記ユーザの眼からの異なる距離から投影されるかのように、異なる量の発散、収束、およびコリメーションのうちの少なくとも１つを有する異なる波面を伴う光を出力するように構成される、項目１５−１６のいずれかに記載の頭部搭載型ディスプレイシステム。
（項目１９）
前記少なくとも１つの導波管は、ある偏光の光を内部結合するように構成される、前記項目のいずれかに記載の頭部搭載型ディスプレイシステム。
（項目２０）
前記内部結合光学要素は、回折光学要素および反射体のうちの少なくとも１つを備える、前記項目のいずれかに記載の頭部搭載型ディスプレイシステム。
（項目２１）
前記少なくとも１つの内部結合光学要素は、異なる個別の色を内部結合するように構成される複数の色選択的内部結合光学要素を備える、前記項目のいずれかに記載の頭部搭載型ディスプレイシステム。
（項目２２）
前記複数の内部結合光学要素は、第１の内部結合光学要素と、第２の内部結合光学要素とを備え、前記第２の内部結合光学要素は、第１の色の光が、前記第１の内部結合光学要素によって、第１の導波管の中に結合されて、その中で誘導され得、前記第１の色と異なる第２の色の光が、前記第１の内部結合光学要素を通して、前記第２の内部結合光学要素に通過し得、前記第２の内部結合光学要素によって、第２の導波管の中に結合されて、その中で誘導され得るように、前記第１の内部結合光学要素にわたって配置される、項目２１に記載の頭部搭載型ディスプレイシステム。
（項目２３）
前記複数の内部結合光学要素は、第３の内部結合光学要素を備え、前記第３の内部結合光学要素は、前記第１の色および前記第２の色と異なる第３の色の光が、前記第１の内部結合光学要素および前記第２の内部結合光学要素を通して前記第３の内部結合光学要素に通過し得、第３の導波管の中に結合されて、その中で誘導され得るように、前記第１の内部結合光学要素および第２の内部結合光学要素にわたって配置される、項目２２に記載の頭部搭載型ディスプレイシステム。
（項目２４）
前記第１の色は、赤色、緑色、および青色のうちの１つを含み、前記第２の色は、前記第１の色と異なる赤色、緑色、および青色のうちの１つを含み、前記第３の色は、前記第１および第２の色と異なる赤色、緑色、および青色のうちの１つを含む、項目２３に記載の頭部搭載型ディスプレイシステム。
（項目２５）
前記少なくとも１つの内部結合光学要素は、複数の色の光を前記少なくとも１つの導波管の導波管の中に結合し、前記光をその中で誘導するように構成される内部結合光学要素を備える、前記項目のいずれかに記載の頭部搭載型ディスプレイシステム。
（項目２６）
前記少なくとも１つの光源は、前記光学系および前記空間光変調器に対して配置され、複数の色の光を前記少なくとも１つの導波管の導波管の中に結合するように構成される前記内部結合光学要素に光を指向する光源を備え、前記光源は、異なる色の光を異なる時間に放出するように構成される、前記項目のいずれかに記載の頭部搭載型ディスプレイシステム。
（項目２７）
前記少なくとも１つの内部結合光学要素は、赤色光、緑色光、および青色光を前記少なくとも１つの導波管の導波管の中に結合し、前記光をその中で誘導するように構成される内部結合光学要素を備える、前記項目のいずれかに記載の頭部搭載型ディスプレイシステム。
（項目２８）
前記少なくとも１つの内部結合光学要素は、所定の偏光の光を内部結合するように構成される、前記項目のいずれかに記載の頭部搭載型ディスプレイシステム。
（項目２９）
前記少なくとも１つの内部結合光学要素は、相互に対して側方に変位された複数の内部結合光学要素を備える、前記項目のいずれかに記載の頭部搭載型ディスプレイシステム。
（項目３０）
前記複数の内部結合光学要素は、複数の色の光を前記少なくとも１つの導波管の第１の導波管の中に結合し、前記光をその中で誘導するように構成される第１の内部結合光学要素と、複数の色の光を前記少なくとも１つの導波管の第２の導波管の中に結合し、前記光をその中で誘導するように構成される第２の内部結合光学要素とを備え、前記第１の内部結合光学要素および前記第２の内部結合光学要素は、相互に対して側方に変位される、項目２９に記載の頭部搭載型ディスプレイシステム。
（項目３１）
前記少なくとも１つの光源は、前記光学系および前記空間光変調器に対して配置され、光を前記第１の内部結合光学要素に指向する第１の光源と、前記光学系および前記空間光変調器に対して配置され、光を前記第２の内部結合光学要素に指向する第２の光源とを備える、項目２９または３０に記載の頭部搭載型ディスプレイシステム。
（項目３２）
前記少なくとも１つの光源は、前記光学系および前記空間光変調器に対して配置され、光を前記第１の内部結合光学要素の中に指向する第１の光源を備え、前記第１の光源は、異なる色の光を異なる時間に放出するように構成される、項目３０に記載の頭部搭載型ディスプレイシステム。
（項目３３）
前記少なくとも１つの光源は、前記光学系および前記空間光変調器に対して配置され、光を前記第２の内部結合光学要素の中に指向する第２の光源を備え、前記第２の光源は、異なる色の光を異なる時間に放出するように構成される、項目３２に記載の頭部搭載型ディスプレイシステム。
（項目３４）
前記接眼レンズは、前記第１の導波管から外部結合される光および前記第２の導波管から外部結合される光が、異なる量の収束、発散、およびコリメーションのうちの少なくとも１つを有し、したがって、異なる深度から生じるように現れるように構成される、項目３３に記載の頭部搭載型ディスプレイシステム。
（項目３５）
前記接眼レンズは、前記第１の導波管から外部結合される光が、コリメートされ、前記第２の導波管から出力された光が、発散するように構成される、項目３１−３４に記載の頭部搭載型ディスプレイシステム。
（項目３６）
前記接眼レンズは、前記第１の導波管から外部結合される光が、第１の量を発散させ、前記第２の導波管から外部結合される光が、第２の量を発散させるように構成され、前記第２の量は、前記第１の量と異なる、項目３１−３４に記載の頭部搭載型ディスプレイシステム。
（項目３７）
前記少なくとも１つの内部結合光学要素は、赤色光、緑色光、および青色光を導波管の中に結合し、前記光をその中で誘導するように構成される内部結合光学要素を備える、前記項目のいずれかに記載の頭部搭載型ディスプレイシステム。
（項目３８）
前記少なくとも１つの光源は、前記光学系および前記空間光変調器に対して配置され、赤色光、緑色光、および青色光を前記少なくとも１つの導波管の導波管の中に結合するように構成される前記少なくとも１つの内部結合光学要素の中に光を指向する光源を備え、前記少なくとも１つの光源は、異なる赤色、緑色、および青色光を異なる時間に放出するように構成される、前記項目のいずれかに記載の頭部搭載型ディスプレイシステム。
（項目３９）
前記第１の光源は、第１の色の光源であり、前記第２の光源は、前記第１の色と異なる色を有する第２の色の光源である、項目３１に記載の頭部搭載型ディスプレイシステム。
（項目４０）
前記第１の光源は、赤色光源であり、前記第２の色の光源は、緑色の光源および青色の光源のうちの１つである、項目３９に記載の頭部搭載型ディスプレイシステム。
（項目４１）
前記少なくとも１つの内部結合光学要素は、複数の群の内部結合光学要素を備え、各群は、異なる個別の色を内部結合するように構成される複数の色選択的内部結合光学要素を備え、前記複数の群の各群は、相互に対して側方に変位される、前記項目のいずれかに記載の頭部搭載型ディスプレイシステム。
（項目４２）
前記複数の内部結合光学要素は、第１の内部結合光学要素と、第２の内部結合光学要素とを備え、前記第２の内部結合光学要素は、第１の色の光が、前記第１の内部結合光学要素によって、第１の導波管の中に結合されて、その中で誘導され得、前記第１の色と異なる第２の色の光が、前記第１の内部結合光学要素を通して、前記第２の内部結合光学要素に通過し得、前記第２の内部結合光学要素によって、第２の導波管の中に結合されて、その中で誘導され得るように、前記第１の内部結合光学要素にわたって配置される、項目４１に記載の頭部搭載型ディスプレイシステム。
（項目４３）
前記複数の内部結合光学要素は、第３の内部結合光学要素を備え、前記第３の内部結合光学要素は、前記第１の色および前記第２の色と異なる第３の色が、前記第１の内部結合光学要素および第２の内部結合光学要素を通して、前記第３の内部結合光学要素に通過し得、第３の導波管の中に結合されて、その中で誘導され得るように、前記第２の内部結合光学要素にわたって配置される、項目４２に記載のシステム。
（項目４４）
前記第１の色は、赤色、緑色、および青色のうちの１つを含み、前記第２の色は、前記第１の色と異なる赤色、緑色、および青色のうちの１つを含み、前記第３の色は、前記第１および第２の色と異なる赤色、緑色、および青色のうちの１つを含む、項目４３に記載の頭部搭載型ディスプレイシステム。
（項目４５）
前記少なくとも１つの内部結合光学要素は、第１の群の内部結合光学要素と、第２の群の内部結合光学要素とを備え、前記第１の群の内部結合光学要素は、異なる個別の色を内部結合するように構成される複数の色選択的内部結合光学要素を備え、前記第２の群の内部結合光学要素は、異なる個別の色を内部結合するように構成される複数の色選択的内部結合光学要素を備え、前記第１の群および前記第２の群は、相互に対して側方に変位される、前記項目のいずれかに記載の頭部搭載型ディスプレイシステム。
（項目４６）
前記第１の複数の内部結合光学要素は、第１の内部結合光学要素と、第２の内部結合光学要素とを備え、前記第２の内部結合光学要素は、第１の色の光が、前記第１の内部結合光学要素によって、第１の導波管の中に結合されて、その中で誘導され得、前記第１の色と異なる第２の色が、前記第１の内部結合光学要素を通して、前記第２の内部結合光学要素に通過し得、前記第２の内部結合光学要素によって、第２の導波管の中に結合されて、その中で誘導され得るように、前記第１の内部結合光学要素にわたって配置される、項目４５に記載の頭部搭載型ディスプレイシステム。
（項目４７）
前記第１の複数の内部結合光学要素は、第３の内部結合光学要素を備え、前記第３の内部結合光学要素は、前記第１の色および前記第２の色と異なる第３の色が、前記第１の内部結合光学要素および前記第２の内部結合光学要素を通して、前記第３の内部結合光学要素に通過し得、第３の導波管の中に結合されて、その中で誘導され得るように、前記第１の内部結合光学要素および前記第２の内部結合光学要素にわたって配置される、項目４６に記載の頭部搭載型ディスプレイシステム。
（項目４８）
前記第１の色は、赤色、緑色、および青色のうちの１つを含み、前記第２の色は、前記第１の色と異なる赤色、緑色、および青色のうちの１つを含み、前記第３の色は、前記第１および第２の色と異なる、赤色、緑色、および青色のうちの１つを含む、項目４７に記載の頭部搭載型ディスプレイシステム。
（項目４９）
第２の複数の内部結合光学要素は、第４の内部結合光学要素と、第５の内部結合光学要素とを備え、前記第５の内部結合光学要素は、第４の色の光が、前記第４の内部結合光学要素によって、第４の導波管の中に結合されて、その中で誘導され得、前記第１の色と異なる第５の色が、前記第４の内部結合光学要素を通して、前記第５の内部結合光学要素に通過し得、前記第２の内部結合光学要素によって、第５の導波管の中に結合されて、その中で誘導され得るように、前記第４の内部結合光学要素にわたって配置される、項目４８に記載の頭部搭載型ディスプレイシステム。
（項目５０）
前記第２の複数の内部結合光学要素は、第６の内部結合光学要素を備え、前記第６の内部結合光学要素は、前記第１の色および前記第２の色と異なる第６の色が、前記第４の内部結合光学要素および前記第５の内部結合光学要素を通して、前記第６の内部結合光学要素に通過し得、第６の導波管の中に結合されて、その中で誘導され得るように、前記第４の内部結合光学要素および第５の内部結合光学要素にわたって配置される、項目４９に記載の頭部搭載型ディスプレイシステム。
（項目５１）
前記接眼レンズは、前記第１の導波管、前記第２の導波管、および前記第３の導波管から外部結合される光が、前記第４の導波管、前記第５の導波管、および前記第６の導波管から外部結合される光と異なる量の収束、発散、およびコリメーションのうちの少なくとも１つを有し、したがって、前記第４の導波管、前記第５の導波管、および前記第６の導波管から出力された光と異なる深度から生じるように現れるように構成される、項目５０に記載の頭部搭載型ディスプレイシステム。
（項目５２）
前記接眼レンズは、前記第１の導波管、前記第２の導波管、および前記第３の導波管から外部結合される光が、コリメートされ、前記第４の導波管、第５の導波管、および前記第６の導波管から出力された光が、発散するように構成される、項目５１に記載の頭部搭載型ディスプレイシステム。
（項目５３）
前記接眼レンズは、前記第１の導波管、前記第２の導波管、および前記第３の導波管から外部結合された光が、発散し、前記第４の導波管、前記第５の導波管、および前記第６の導波管から出力された光が、異なる量で発散するように構成される、項目５２に記載の頭部搭載型ディスプレイシステム。
（項目５４）
前記少なくとも１つの光源は、前記光学系および前記空間光変調器に対して配置され、光を前記第１の群の内部結合光学要素の中に指向する第１の源を備え、前記第１の光源は、異なる色の光を異なる時間に放出するように構成される、項目４５−５３のいずれかに記載の頭部搭載型ディスプレイシステム。
（項目５５）
前記少なくとも１つの光源は、前記光学系および前記空間光変調器に対して配置され、光を前記第２の群の内部結合光学要素の中に指向する第２の光源を備え、前記第２の光源もまた、異なる色の光を異なる時間に放出するように構成される、項目４５−５４のいずれかに記載の頭部搭載型ディスプレイシステム。
（項目５６）
前記少なくとも１つの外部結合光学要素は、回折光学要素を備える、前記項目のいずれかに記載の頭部搭載型ディスプレイシステム。
（項目５７）
前記少なくとも１つの外部結合要素は、アイボックスの寸法を少なくとも１つの第１の軸に沿って増加させるように構成される、前記項目のいずれかに記載の頭部搭載型ディスプレイシステム。
（項目５８）
前記少なくとも１つの導波管内または前記少なくとも１つの導波管上に、前記アイボックスの寸法を前記少なくとも１つの第１の軸に直交する第２の軸に沿って増加させるように構成される少なくとも１つの光再指向要素を備える直交瞳エクスパンダをさらに備える、項目５７に記載の頭部搭載型ディスプレイシステム。
（項目５９）
前記少なくとも１つの光再指向要素は、回折光学要素を備える、項目５８に記載の頭部搭載型ディスプレイシステム。
（項目６０）
前記少なくとも１つの導波管の少なくとも一部は、前記少なくとも１つの光源と前記光学系との間に延在し、前記光学系を通して指向される前記少なくとも１つの光源からの光は、前記少なくとも１つの導波管の一部を通して、前記光学系に通過する、前記項目のいずれかに記載の頭部搭載型ディスプレイシステム。
（項目６１）
前記少なくとも１つの導波管は、第１の側と、前記第１の側と反対の第２の側とを有し、前記光学系および前記空間光変調器は、前記空間光変調器からの光が、前記第１の側上に指向されるように、前記第１の側上に配置される、前記項目のいずれかに記載の頭部搭載型ディスプレイシステム。
（項目６２）
前記少なくとも１つの光源は、前記少なくとも１つの光源からの光が、前記光学系を通して前記空間光変調器に通過することに先立って、前記第１の側上に入射するように、前記第１の側上に配置される、項目６１に記載の頭部搭載型ディスプレイシステム。
（項目６３）
前記少なくとも１つの光源は、前記少なくとも１つの光源からの光が、前記光学系を通して前記空間光変調器に通過することに先立って、前記第２の側上に入射するように、前記第２の側上に配置される、項目６１に記載の頭部搭載型ディスプレイシステム。
（項目６４）
前記少なくとも１つの導波管は、前記少なくとも１つの光源と前記光学系との間に配置される、項目６３に記載の頭部搭載型ディスプレイシステム。
（項目６５）
光源内部結合光学要素であって、前記少なくとも１つの光源からの光を受け取り、前記少なくとも１つの光源からの光を前記少なくとも１つの導波管の一部の中に結合し、その中で誘導されるようにするように、前記少なくとも１つの光源の近位の前記少なくとも１つの導波管の一部に対して配置される、光源内部結合光学要素
をさらに備える、前記項目のいずれかに記載の頭部搭載型ディスプレイシステム。
（項目６６）
前記少なくとも１つの導波管の一部内で誘導される光を前記少なくとも１つの導波管の一部から外に、前記光学系を通して、前記空間光変調器に指向するように構成される前記光源の近位の前記少なくとも１つの導波管の一部に対する外部結合光学要素をさらに備える、項目６５に記載のシステム。
（項目６７）
前記頭部搭載型ディスプレイシステムは、前記少なくとも１つの光源の近位の前記少なくとも１つの導波管の一部から前記光学系の中に結合される前記光の少なくとも一部が、前記空間光変調器上に入射し、再び、前記光学系を通して通過し、前記少なくとも１つの導波管の第２の部分上に入射し、再び、その中で誘導され、そこから外部結合され、前記ユーザの眼に指向されるように構成される、項目６６に記載の頭部搭載型ディスプレイシステム。
（項目６８）
前記光源の近位の前記少なくとも１つの導波管の一部から前記少なくとも１つの導波管の第２の部分の中へのクロストークを低減させるためのアイソレータをさらに備える、項目６５−６７のいずれかに記載の頭部搭載型ディスプレイシステム。
（項目６９）
前記アイソレータは、不透明表面および反射性表面のうちの１つを備える、項目６８に記載の頭部搭載型ディスプレイシステム。
（項目７０）
前記アイソレータは、前記少なくとも１つの導波管内に配置される、項目５８に記載のシステム。
（項目７１）
前記少なくとも１つの導波管は、第１の側と、前記第１の側と反対の第２の側とを有し、前記光学系および前記空間光変調器は、前記少なくとも１つの導波管の第１の側上に配置される、項目６５−７０のいずれかに記載の頭部搭載型ディスプレイシステム。
（項目７２）
前記少なくとも１つの光源は、前記少なくとも１つの光源からの光が、前記少なくとも１つの導波管の第１の側上に入射し、その中で誘導され、前記少なくとも１つの導波管の一部内で誘導される光が、前記少なくとも１つの導波管の第１の側から外に、前記第１の側上の前記光学系および前記空間光変調器に結合されるように、前記少なくとも１つの導波管の第１の側上に配置される、項目７１に記載の頭部搭載型ディスプレイシステム。
（項目７３）
前記少なくとも光源は、前記少なくとも１つの光源からの光が、前記光学系を通して前記空間光変調器に通過することに先立って、前記少なくとも１つの導波管の第２の側上に入射するように、前記少なくとも１つの導波管の第２の側上に配置される、項目７１に記載の頭部搭載型ディスプレイシステム。
（項目７４）
前記少なくとも１つの導波管は、前記少なくとも１つの光源と前記光学系との間に配置される、項目７１または７３に記載の頭部搭載型ディスプレイシステム。
（項目７５）
前記少なくとも１つの光源に光学的に結合された少なくとも１つの導波管であって、前記少なくとも１つの導波管から前記光学系の中に結合される前記光の少なくとも一部が、前記空間光変調器上に入射し、再び、前記光学系を通して通過し、前記少なくとも１つの導波管上に入射し、その中で誘導され、そこから外部結合され、前記ユーザの眼に指向されるように、前記少なくとも１つの光源からの光を受け取り、前記少なくとも１つの光源からの光をその中で誘導し、その中で誘導される光を前記光学系の中に結合する、少なくとも１つの導波管
をさらに備える、前記項目のいずれかに記載の頭部搭載型ディスプレイシステム。
（項目７６）
前記少なくとも１つの導波管上に配置された内部結合要素であって、前記光源からの光を受け取り、前記光源からの光を前記少なくとも１つの導波管の中に結合し、その中で誘導されるようにする、内部結合要素
をさらに備える、項目７５に記載の頭部搭載型ディスプレイシステム。
（項目７７）
前記少なくとも１つの導波管上に配置された外部結合要素であって、前記光源からの前記少なくとも１つの導波管内で誘導される光を受け取り、前記少なくとも１つの導波管内で誘導される光を、前記少なくとも１つの導波管から外に、前記光学系を通して、前記空間光変調器に結合する、外部結合要素
をさらに備える、項目７６に記載の頭部搭載型ディスプレイシステム。
（項目７８）
前記少なくとも１つの導波管と前記少なくとも１つの導波管との間のクロストークを低減させるためのアイソレータをさらに備える、項目７５−７７のいずれかに記載の頭部搭載型ディスプレイシステム。
（項目７９）
前記アイソレータは、不透明および反射性表面のうちの少なくとも１つを備える、項目７８に記載の頭部搭載型ディスプレイシステム。
（項目８０）
前記アイソレータは、前記少なくとも１つの導波管内または前記少なくとも１つの導波管上に配置される、項目７８または７９に記載の頭部搭載型ディスプレイシステム。
（項目８１）
前記少なくとも１つの導波管は、第１の側と、前記第１の側と反対の第２の側とを有し、前記光学系および前記空間光変調器は、前記少なくとも１つの導波管の第１の側上に配置される、項目７５−８０のいずれかに記載の頭部搭載型ディスプレイシステム。
（項目８２）
前記少なくとも１つの光源は、前記少なくとも１つの光源からの光が、前記少なくとも１つの導波管の第１の側上に入射し、その中で誘導され、前記少なくとも１つの導波管内で誘導される光が、前記少なくとも１つの導波管の第１の側から外に、前記第１の側上の前記光学系および前記空間光変調器に結合されるように、前記少なくとも１つの導波管の第１の側上に配置される、項目８１に記載の頭部搭載型ディスプレイシステム。
（項目８３）
前記少なくとも１つの光源は、前記少なくとも１つの光源からの光が、前記少なくとも１つの導波管の第２の側上に入射し、その中で誘導され、前記少なくとも１つの光導波路内で誘導される光が、前記少なくとも１つの導波管の第１の側から外に、前記第１の側上の前記光学系および前記空間光変調器に結合されるように、少なくとも１つの導波管の第２の側上に配置される、項目８１に記載の頭部搭載型ディスプレイシステム。
（項目８４）
前記少なくとも１つの導波管は、前記少なくとも１つの光源と前記光学系との間に配置される、項目８１または８３に記載の頭部搭載型ディスプレイシステム。
（項目８５）
前記光学系は、１つ以上のレンズを備える、前記項目のいずれかに記載の頭部搭載型ディスプレイシステム。
（項目８６）
前記光学系は、複数のレンズを備える、前記項目のいずれかに記載の頭部搭載型ディスプレイシステム。
（項目８７）
前記光学系は、正の屈折力を有する、前記項目のいずれかに記載の頭部搭載型ディスプレイシステム。
（項目８８）
前記光学系は、１つ以上の屈折光学要素を備える、前記項目のいずれかに記載の頭部搭載型ディスプレイシステム。
（項目８９）
前記空間光変調器は、偏光を変調させるように構成される、前記項目のいずれかに記載の頭部搭載型ディスプレイシステム。
（項目９０）
前記空間光変調器と前記ユーザの眼との間の光学経路内の分析器をさらに備える、前記項目のいずれかに記載の頭部搭載型ディスプレイシステム。
（項目９１）
前記分析器は、前記光学系と前記少なくとも１つの内部結合光学要素との間の光学経路内に配置される、項目９０に記載の頭部搭載型ディスプレイシステム。
（項目９２）
前記少なくとも１つの光源と前記空間光変調器との間に配置される偏光器をさらに備える、前記項目のいずれかに記載の頭部搭載型ディスプレイシステム。
（項目９３）
前記少なくとも１つの光源は、偏光源を備える、前記項目のいずれかに記載の頭部搭載型ディスプレイシステム。
（項目９４）
偏光器が、前記光学系と前記空間光変調器との間に配置される、前記項目のいずれかに記載の頭部搭載型ディスプレイシステム。
（項目９５）
前記偏光器は、前記空間光変調器の直上に配置される、項目９４に記載の頭部搭載型ディスプレイシステム。
（項目９６）
前記偏光器は、ワイヤグリッド偏光器を備える、前記項目のいずれかに記載の頭部搭載型ディスプレイシステム。
（項目９７）
前記分析器は、円偏光器である、項目９０に記載の頭部搭載型ディスプレイシステム。
（項目９８）
調節可能屈折力を伴う可変光学要素をさらに備える、前記項目のいずれかに記載の頭部搭載型ディスプレイシステム。
（項目９９）
前記可変光学要素は、レンズまたはミラーを備える、項目９８に記載の頭部搭載型ディスプレイシステム。
（項目１００）
前記可変光学要素は、第１の状態と、第２の状態とを有するように構成され、前記第１の状態では、前記可変光学要素は、前記第２の状態にあるときと異なる屈折力を有する、項目９８または９９に記載の頭部搭載型ディスプレイシステム。
（項目１０１）
前記可変光学要素は、前記第１の状態では、負の屈折力を有し、前記第２の状態では、ゼロ屈折力を有する、項目１００に記載の頭部搭載型ディスプレイシステム。
（項目１０２）
前記可変光学要素は、前記第１の状態では、正の屈折力を有し、前記第２の状態では、ゼロ屈折力を有する、項目１００に記載の頭部搭載型ディスプレイシステム。
（項目１０３）
前記可変光学要素は、前記第１の状態では、第１の負の屈折力を有し、前記第２の状態では、第２の異なる負の屈折力を有する、項目１００に記載の頭部搭載型ディスプレイシステム。
（項目１０４）
前記可変光学要素は、前記第１の状態では、第１の正の屈折力を有し、前記第２の状態では、第２の異なる正の屈折力を有する、項目１００に記載の頭部搭載型ディスプレイシステム。
（項目１０５）
前記可変光学要素は、前記第１の状態では、第１の負の屈折力を有し、前記第２の状態では、第２の正の屈折力を有する、項目１００に記載の頭部搭載型ディスプレイシステム。
（項目１０６）
前記可変光学要素は、液体レンズを備える、項目９８に記載の頭部搭載型ディスプレイシステム。
（項目１０７）
光学要素を備える調節可能調光器をさらに備え、前記光学要素は、それを通して透過される光の可変減衰を提供する、前記項目のいずれかに記載の頭部搭載型ディスプレイシステム。
（項目１０８）
前記ユーザの眼の屈折補正を提供するように構成される処方箋レンズをさらに備える、前記項目のいずれかに記載の頭部搭載型ディスプレイシステム。
（項目１０９）
前記少なくとも１つの導波管と前記ユーザの眼との間の経路内に配置される静的レンズをさらに備える、前記項目のいずれかに記載の頭部搭載型ディスプレイシステム。
（項目１１０）
前記分析器はまた、光を前記光源から前記光学系に伝搬させるための偏光器としての役割を果たすように構成される、項目９１に記載の頭部搭載型ディスプレイシステム。
（項目１１１）
前記導波管の前記ユーザに近接する側上に配置されるカラーフィルタアレイをさらに備え、前記カラーフィルタアレイは、複数の異なるカラーフィルタを備える、前記項目のいずれかに記載の頭部搭載型ディスプレイシステム。
（項目１１２）
前記カラーフィルタアレイは、迷光の伝搬および反射を低減させるように構成される前記カラーフィルタ間に配置される吸光材料を含む、項目１１１に記載の頭部搭載型ディスプレイシステム。
（項目１１３）
偏光器が、前記光源の光学経路内に配置され、第１の偏光の光を透過させ、第２の偏光の光を反射させるように構成され得、前記光源に向かって指向される前記第２の偏光の反射された光の一部は、前記第１の偏光を取得する、前記項目のいずれかに記載の頭部搭載型ディスプレイシステム。
（項目１１４）
前記光源に向かって指向される前記第２の偏光の反射された光の一部は、前記光源からの光を集光するように配置される結合光学系から反射することによって、前記第１の偏光を取得する、項目１１３に記載の頭部搭載型ディスプレイシステム。
（項目１１５）
４分の１波長板をさらに備える、前記項目のいずれかに記載の頭部搭載型ディスプレイシステム。
（項目１１６）
前記光のより一貫した直交回転を提供するように構成される補償器をさらに備える、前記項目のいずれかに記載の頭部搭載型ディスプレイシステム。
（項目１１７）
前記光学系および空間光変調器は、相互に対して傾斜される、前記項目のいずれかに記載の頭部搭載型ディスプレイシステム。
（項目１１８）
前記結合光学系、光学系、および空間光変調器は、前記接眼レンズに対して傾斜される、前記項目のいずれかに記載の頭部搭載型ディスプレイシステム。
（項目１１９）
前記結合光学系、光学系、および空間光変調器は、前記接眼レンズに対して傾斜される、前記項目のいずれかに記載の頭部搭載型ディスプレイシステム。
（項目１２０）
前記光源からの光は、再利用または回収されるように構成される、前記項目のいずれかに記載の頭部搭載型ディスプレイシステム。
（項目１２１）
第１の偏光を有する前記光源からの光を前記光学系に透過させ、第２の異なる偏光を有する光を前記光源に向かって戻るように反射させるように構成される偏光器をさらに備える、前記項目のいずれかに記載の頭部搭載型ディスプレイシステム。
（項目１２２）
前記偏光器によって反射された前記第２の偏光の光の少なくとも一部を前記第１の偏光の光に変換する前記光源と前記偏光器との間の結合要素をさらに備える、前記項目のいずれかに記載の頭部搭載型ディスプレイシステム。
（項目１２３）
前記光源は、光を出力するように構成される複数の側方に変位された光エミッタを備える、前記項目のいずれかに記載の頭部搭載型ディスプレイシステム。
（項目１２４）
前記複数の光エミッタからの光を集光するように構成される集光光学系または結合要素をさらに備える、前記項目のいずれかに記載の頭部搭載型ディスプレイシステム。
（項目１２５）
前記光源と前記光学系との間の光学経路内の拡散器をさらに備える、前記項目のいずれかに記載の頭部搭載型ディスプレイシステム。
（項目１２６）
前記光源と前記光学系との間の１つ以上の開口をさらに備える、前記項目のいずれかに記載の頭部搭載型ディスプレイシステム。
（項目１２７）
前記光源と前記光学系との間の複数の開口をさらに備える、前記項目のいずれかに記載の頭部搭載型ディスプレイシステム。
（項目１２８）
拡散器と、前記光源と前記光学系との間の複数の開口とをさらに備え、前記拡散器は、前記開口の近位にある、前記項目のいずれかに記載の頭部搭載型ディスプレイシステム。
（項目１２９）
前記光源は、１つ以上のレーザダイオードを備える、前記項目のいずれかに記載の頭部搭載型ディスプレイシステム。
（項目１３０）
前記光源に対して配置され、前記光源から出力された光を集光する結合光学系をさらに備える、前記項目のいずれかに記載の頭部搭載型ディスプレイシステム。
（項目１３１）
前記結合光学系は、複合放物面集光器（ＣＰＣ）を備える、項目１３０に記載の頭部搭載型ディスプレイシステム。
（項目１３２）
前記光源に対して配置され、前記光源から出力された光を集光する集光光学系をさらに備える、前記項目のいずれかに記載の頭部搭載型ディスプレイシステム。
（項目１３３）
前記集光光学系は、１つ以上のレンズから成る、前記項目のいずれかに記載の頭部搭載型ディスプレイシステム。
（項目１３４）
前記集光光学系は、複数のレンズから成る、前記項目のいずれかに記載の頭部搭載型ディスプレイシステム。
（項目１３５）
前記光源と前記光学系との間の４分の１波リターダをさらに備える、前記項目のいずれかに記載の頭部搭載型ディスプレイシステム。
（項目１３６）
偏光器が、前記空間光変調器に添着される、前記項目のいずれかに記載の頭部搭載型ディスプレイシステム。
（項目１３７）
偏光器が、接着剤を用いて、前記空間光変調器に接着される、前記項目のいずれかに記載の頭部搭載型ディスプレイシステム。
（項目１３８）
偏光器が、機械的固定具を使用して、前記空間光変調器に接着される、前記項目のいずれかに記載の頭部搭載型ディスプレイシステム。
（項目１３９）
補償器が、前記空間光変調器に添着される、前記項目のいずれかに記載の頭部搭載型ディスプレイシステム。
（項目１４０）
補償器が、接着剤を用いて、前記空間光変調器に接着される、前記項目のいずれかに記載の頭部搭載型ディスプレイシステム。
（項目１４１）
補償器が、機械的固定具を使用して、前記空間光変調器に接着される、前記項目のいずれかに記載の頭部搭載型ディスプレイシステム。
（項目１４２）
リターダが、前記空間光変調器に添着される、前記項目のいずれかに記載の頭部搭載型ディスプレイシステム。
（項目１４３）
リターダが、接着剤を用いて、前記空間光変調器に接着される、前記項目のいずれかに記載の頭部搭載型ディスプレイシステム。
（項目１４４）
リターダが、機械的固定具を使用して、前記空間光変調器に接着される、前記項目のいずれかに記載の頭部搭載型ディスプレイシステム。
（項目１４５）
４分の１波リターダが、前記空間光変調器に添着される、前記項目のいずれかに記載の頭部搭載型ディスプレイシステム。
（項目１４６）
４分の１波リターダが、接着剤を用いて、前記空間光変調器に接着される、前記項目のいずれかに記載の頭部搭載型ディスプレイシステム。
（項目１４７）
４分の１波リターダが、機械的固定具を使用して、前記空間光変調器に接着される、前記項目のいずれかに記載の頭部搭載型ディスプレイシステム。
（項目１４８）
前記偏光器は、ワイヤグリッド偏光器を備える、前記項目のいずれかに記載の頭部搭載型ディスプレイシステム。
（項目１４９）
前記空間光変調器と前記内部結合光学要素との間の円偏光器をさらに備える、前記項目のいずれかに記載の頭部搭載型ディスプレイシステム。
（項目１５０）
前記円偏光器は、線形分析器と、４分の１波リターダとを備える、項目１４９に記載の頭部搭載型ディスプレイシステム。
（項目１５１）
前記光学系と前記少なくとも１つの導波管との間および前記光源と前記光学系との間の単一偏光器をさらに備える、前記項目のいずれかに記載の頭部搭載型ディスプレイシステム。
（項目１５２）
前記光ダンプは、吸光材料を含む、前記項目のいずれかに記載の頭部搭載型ディスプレイシステム。
（項目１５３）
前記光ダンプは、フィルタアレイのフィルタを囲繞する吸光材料を含む、前記項目のいずれかに記載の頭部搭載型ディスプレイシステム。
（項目１５４）
前記光源は、前記光源からの光が、前記少なくとも１つの導波管を通して通過せずに、前記光学系の中に指向されるように、前記少なくとも１つの導波管に対して側方に配置される、前記項目のいずれかに記載の頭部搭載型ディスプレイシステム。
（項目１５５）
前記光源は、前記光源からの光が、前記少なくとも１つの導波管を通して通過せずに、前記光学系の中に指向されるように、前記少なくとも１つの導波管に対して側方に延在する透明層上に配置される、前記項目のいずれかに記載の頭部搭載型ディスプレイシステム。
（項目１５６）
前記光源は、前記少なくとも１つの導波管の前記ユーザの眼により近い側より前記少なくとも１つの導波管の前記ユーザの正面の環境により近い側に近い透明層上に配置され、前記透明層は、前記光源からの光が、前記少なくとも１つの導波管を通して通過せずに、前記光学系の中に指向されるように、前記少なくとも１つの導波管に対して側方に延在する、前記項目のいずれかに記載の頭部搭載型ディスプレイシステム。
（項目１５７）
前記光源は、前記少なくとも１つの導波管の前記ユーザの正面の環境により近い側より前記少なくとも１つの導波管の前記ユーザの眼により近い側に近い透明層上に配置され、前記透明層は、前記光源からの光が、前記少なくとも１つの導波管を通して通過せずに、前記光学系の中に指向されるように、前記少なくとも１つの導波管に対して側方に延在する、前記項目のいずれかに記載の頭部搭載型ディスプレイシステム。
（項目１５８）
透明層は、カバーガラスを備える、前記項目のいずれかに記載の頭部搭載型ディスプレイシステム。
（項目１５９）
相互に対して側方に変位される複数のカラーフィルタをさらに備え、前記カラーフィルタは、個別のカラーフィルタを通して通過する光が個別の内部結合光学要素上に入射するように、相互に対して側方に変位される複数の内部結合光学要素に対して側方に整合される、前記項目のいずれかに記載の頭部搭載型ディスプレイシステム。
（項目１６０）
前記複数のカラーフィルタは、カラーフィルタアレイを備える、前記項目のいずれかに記載の頭部搭載型ディスプレイシステム。
（項目１６１）
前記空間光変調器と前記光学系との間の光学経路内に配置される偏光器をさらに備える、前記項目のいずれかに記載の頭部搭載型ディスプレイシステム。
（項目１６２）
前記空間光変調器と前記光学系との間の光学経路内に配置される分析器をさらに備える、前記項目のいずれかに記載の頭部搭載型ディスプレイシステム。
（項目１６３）
前記空間光変調器と前記光学系との間の光学経路内に配置される補償器をさらに備える、前記項目のいずれかに記載の頭部搭載型ディスプレイシステム。
（項目１６４）
前記空間光変調器と前記光学系との間の光学経路内に配置されるリターダをさらに備える、前記項目のいずれかに記載の頭部搭載型ディスプレイシステム。
（項目１６５）
前記空間光変調器と前記光学系との間の光学経路内に配置される４分の１波リターダをさらに備える、前記項目のいずれかに記載の頭部搭載型ディスプレイシステム。
（項目１６６）
前記少なくとも１つの導波管と屈折力を有する前記光学系との間の第１の円偏光器をさらに備える、前記項目のいずれかに記載の頭部搭載型ディスプレイシステム。
（項目１６７）
前記第１の円偏光器は、前記光源と屈折力を有する前記光学系との間にある、項目１６６に記載の頭部搭載型ディスプレイシステム。
（項目１６８）
屈折力を有する前記光学系と前記空間光変調器との間の第２の円偏光器をさらに備える、前記項目のいずれかに記載の頭部搭載型ディスプレイシステム。
（項目１６９）
前記第２の円偏光器と前記空間光変調器との間のリターダをさらに備える、項目１６８に記載の頭部搭載型ディスプレイシステム。
（項目１７０）
前記第２の円偏光器と前記空間光変調器との間の第３の円偏光器をさらに備える、項目１６８または１６９に記載の頭部搭載型ディスプレイシステム。
（項目１７１）
前記第２の円偏光器と第３の円偏光器との間のリターダをさらに備える、項目１７０に記載の頭部搭載型ディスプレイシステム。
（項目１７２）
屈折力を有する前記光学系と前記空間光変調器との間の補償器をさらに備える、前記項目のいずれかに記載の頭部搭載型ディスプレイシステム。
（項目１７３）
前記第２の円偏光器と前記空間光変調器との間の補償器をさらに備える、項目１６８−１７１のいずれかに記載の頭部搭載型ディスプレイシステム。
（項目１７４）
前記第３の円偏光器と前記空間光変調器との間の補償器をさらに備える、項目１７０−１７１のいずれかに記載の頭部搭載型ディスプレイシステム。
（項目１７５）
屈折力を有する前記光学系と前記空間光変調器との間のカバーガラスをさらに備える、前記項目のいずれかに記載の頭部搭載型ディスプレイシステム。
（項目１７６）
前記第２の円偏光器と前記空間光変調器との間のカバーガラスをさらに備える、項目１６８−１７４のいずれかに記載の頭部搭載型ディスプレイシステム。
（項目１７７）
前記第３の円偏光器と前記空間光変調器との間のカバーガラスをさらに備える、項目１７０−１７４のいずれかに記載の頭部搭載型ディスプレイシステム。
（項目１７８）
前記補償器と前記空間光変調器との間のカバーガラスをさらに備える、項目１７２−１７４のいずれかに記載の頭部搭載型ディスプレイシステム。
（項目１７９）
前記少なくとも１つの導波管に対して傾斜され、前記光学表面から反射された光を再指向する少なくとも１つの光学表面をさらに備える、前記項目のいずれかに記載の頭部搭載型ディスプレイシステム。
（項目１８０）
前記空間光変調器に対して傾斜され、前記光学表面から反射された光を再指向する少なくとも１つの光学表面をさらに備える、前記項目のいずれかに記載の頭部搭載型ディスプレイシステム。
（項目１８１）
少なくとも１つの偏光器またはリターダに対して傾斜され、前記光学表面から反射された光を再指向する少なくとも１つの光学表面をさらに備える、前記項目のいずれかに記載の頭部搭載型ディスプレイシステム。
（項目１８２）
屈折力を有する前記光学系の光学軸に対して傾斜され、前記光学表面から反射された光を再指向する法線を有する少なくとも１つの光学表面をさらに備える、前記項目のいずれかに記載の頭部搭載型ディスプレイシステム。
（項目１８３）
傾斜された前記少なくとも１つの光学表面は、前記少なくとも１つの導波管の内部結合光学要素から離れるように反射された光を再指向する、項目１７９−１８２のいずれかに記載の頭部搭載型ディスプレイシステム。
（項目１８４）
傾斜された前記少なくとも１つの光学表面は、前記反射された光のうちの少ないものが、前記少なくとも１つの導波管の中に結合され、その中で誘導されるように、反射された光を再指向する、項目１７９−１８３のいずれかに記載の頭部搭載型ディスプレイシステム。
（項目１８５）
傾斜された前記少なくとも１つの光学表面は、前記反射された光のうちの少ないものが、前記ユーザの眼に指向されるように、反射された光を再指向する、項目１７９−１８４のいずれかに記載の頭部搭載型ディスプレイシステム。
（項目１８６）
傾斜された前記少なくとも１つの光学表面は、前記反射された光の少なくとも一部を前記光源に再指向する、項目１７９−１８５のいずれかに記載の頭部搭載型ディスプレイシステム。
（項目１８７）
傾斜された前記少なくとも１つの光学表面から反射された光の少なくとも一部を受け取るための光ダンプをさらに備える、項目１７９−１８６のいずれかに記載の頭部搭載型ディスプレイシステム。
（項目１８８）
傾斜された前記少なくとも１つの光学表面は、前記カバーガラス上にある、項目１７９−１８７のいずれかに記載の頭部搭載型ディスプレイシステム。
（項目１８９）
傾斜された前記少なくとも１つの光学表面は、少なくとも１つのリターダ、少なくとも１つの偏光器、または少なくとも１つの補償器のうちの１つ以上のもの上にある、項目１７９−１８８のいずれかに記載の頭部搭載型ディスプレイシステム。
（項目１９０）
前記カバーガラスは、楔形状である、前記項目のいずれかに記載の頭部搭載型ディスプレイシステム。
（項目１９１）
少なくとも１つのリターダ、少なくとも１つの偏光器、または少なくとも１つの補償器は、楔形状である、前記項目のいずれかに記載の頭部搭載型ディスプレイシステム。
（項目１９２）
前記光源に対して配置され、そこから放出される光の偏光を回転させる偏光回転子をさらに備える、前記項目のいずれかに記載の頭部搭載型ディスプレイシステム。
（項目１９３）
前記光源と前記第１の円偏光器との間に配置される、偏光回転子をさらに備える、項目１６６または１６７に記載の頭部搭載型ディスプレイシステム。
（項目１９４）
前記少なくとも１つの内部結合光学要素は、第１および第２の内部結合光学要素を備え、前記頭部搭載型ディスプレイシステムはさらに、第１および第２のカラーフィルタを備え、前記第１および第２のカラーフィルタは、それぞれ、前記第１および第２の内部結合光学要素と関連付けられる、前記項目のいずれかに記載の頭部搭載型ディスプレイシステム。
（項目１９５）
前記第１のカラーフィルタは、前記第２のカラーフィルタより第１の色の光を透過させ、前記第２のカラーフィルタは、前記第１の色より第２の色の光を透過させる、項目１９４に記載の頭部搭載型ディスプレイシステム。
（項目１９６）
前記少なくとも１つの導波管は、第１および第２の導波管を備え、前記第１の内部結合光学要素は、前記第２のカラーフィルタより第１の色の光を前記第１の導波管の中に結合し、前記第２の内部結合光学要素は、前記第１の色より第２の色の光を前記第２の導波管の中に結合する、項目１９４または１９５に記載の頭部搭載型ディスプレイシステム。
（項目１９７）
前記第１および第２のカラーフィルタは、前記個別の第１および第２の内部結合光学要素と側方に整合される、項目１９４−１９６のいずれかに記載の頭部搭載型ディスプレイシステム。
（項目１９８）
第１および第２の光源をさらに備え、前記第１および第２の光源は、光を、それぞれ、前記第１および第２のカラーフィルタを通して、それぞれ、前記第１および第２の内部結合光学要素に指向するように配置される、項目１９４−１９７のいずれかに記載の頭部搭載型ディスプレイシステム。
（項目１９９）
第１および第２の光源をさらに備え、前記第１および第２のカラーフィルタは、それぞれ、前記第１および第２の光源と前記第１および第２の内部結合光学要素との間の第１および第２の光学経路内に配置される、項目１９４−１９７のいずれかに記載の頭部搭載型ディスプレイシステム。
（項目２００）
前記第１および第２の光源は、それぞれ、第１および第２の色を放出するように構成される第１および第２の色の光源を備える、項目１９８または１９９に記載の頭部搭載型ディスプレイシステム。
（項目２０１）
前記第１および第２の光源は、前記第１および第２の色の両方を放出するように構成される広帯域色光源を備える、項目１９８または１９９に記載の頭部搭載型ディスプレイシステム。